【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
第１の単位画像を投写する第１のプロジェクタと、第２の単位画像を投射する第２のプロジェクタとを有し、前記第１のプロジェクタにて前記第１の単位画像を投写し且つ前記第２のプロジェクタにて前記第２の単位画像を投写し、前記第１の単位画像と前記第２の単位画像とが重なり合う重なり部を有する状態で１つの画像を表示するマルチプロジェクションディスプレイであって、
前記第１及び第２のプロジェクタは、
複数の電気光学変調装置と、
前記複数の電気光学変調装置の出射側に設けられたダイクロイックプリズムと、
前記ダイクロイックプリズムの出射側に設けられた投写レンズと、
前記ダイクロイックプリズムの出射側で且つ前記投写レンズの入射側に配置され、前記重なり部への光量を調節可能な光量調整手段と、を有することを特徴とするマルチプロジェクションディスプレイ。
【請求項２】
請求項１に記載のマルチプロジェクションディスプレイにおいて、
前記光量調整手段は、光を所定の又は任意の透過率で透過させる半透過部を有することを特徴とするマルチプロジェクションディスプレイ。
【請求項３】
第１の単位画像を投写する第１のプロジェクタと、第２の単位画像を投射する第２のプロジェクタとを有し、前記第１のプロジェクタにて前記第１の単位画像を投写し且つ前記第２のプロジェクタにて前記第２の単位画像を投写し、前記第１の単位画像と前記第２の単位画像とが重なり合う重なり部を有する状態で１つの画像を表示するマルチプロジェクションディスプレイであって、
前記第１又は第２のプロジェクタの少なくともいずれか１つは、
光源と、
電気光学変調装置と、
前記光源からの光を前記電気光学変調装置に入射させることに用いる反射部と、  前記反射部の反射率を調整可能な反射率変更部と、を有し、
前記反射率変更部は、前記重なり部への光量を調節可能な光量調整手段を有することを特徴とするマルチプロジェクションディスプレイ。
【請求項４】
請求項３に記載のマルチプロジェクションディスプレイにおいて、
前記反射率変更部は、前記反射部の一部に設けられていることを特徴とするマルチプロジェクションディスプレイ。
【請求項５】
第１の単位画像を投写する第１のプロジェクタと、第２の単位画像を投射する第２のプロジェクタとを有し、前記第１のプロジェクタにて前記第１の単位画像を投写し且つ前記第２のプロジェクタにて前記第２の単位画像を投写し、前記第１の単位画像と前記第２の単位画像とが重なり合う重なり部を有する状態で１つの画像を表示するマルチプロジェクションディスプレイであって、
前記第１又は第２のプロジェクタの少なくともいずれか１つは、
光の一部を透過し且つ光の一部を反射するダイクロイックミラーと、
前記ダイクロイックミラーの透過率を調整可能な透過率変更部と、を有し、
前記透過率変更部は、前記重なり部への光量を調節可能な光量調整手段を有することを特徴とするマルチプロジェクションディスプレイ。
【請求項６】
請求項５に記載のマルチプロジェクションディスプレイにおいて、
前記透過率変更部は、前記ダイクロイックミラーの一部に設けられていることを特徴とするマルチプロジェクションディスプレイ。
【請求項７】
請求項１から６のいずれかに記載のマルチプロジェクションディスプレイにおいて、      
前記１つの画像を撮像可能な撮像手段を設けたことを特徴とするマルチプロジェクションディスプレイ。
【請求項８】
請求項１から７のいずれかに記載のマルチプロジェクションディスプレイにおいて、前記光量調整手段は、前記重なり部の状態に応じた光量調整範囲の設定を可能とすることを特徴とするマルチプロジェクションディスプレイ。
【請求項９】
請求項８に記載のマルチプロジェクションディスプレイであって、
前記重なり部の状態は、前記重なり部の形状、前記重なり部の大きさ、前記重なり部の位置のうちの少なくともいずれかの状態であることを特徴とするマルチプロジェクションディスプレイ。
【請求項１０】
請求項８又は９のいずれかに記載のマルチプロジェクションディスプレイにおいて、
前記１つの画像を撮像可能な撮像手段を有し、
前記光量調整手段は、前記撮像手段によって撮像された撮像画像に基づいて、前記重なり部の状態に応じた光量調整範囲の設定を行うことを特徴とするマルチプロジェクションディスプレイ。
【請求項１１】
請求項１から１０のいずれかに記載のマルチプロジェクションディスプレイにおいて、  
前記光量調整手段は、該光量調整手段によって調整された光の光量が、該調整された光が投写された際に前記重なり部内での位置に応じて異なるように調整することを特徴とするマルチプロジェクションディスプレイ。
【請求項１２】
請求項１から１１のいずれかに記載のマルチプロジェクションディスプレイにおいて、前記重なり部に対してソフトウエア処理による輝度調整処理を可能とする画像補正手段を有することを特徴とするマルチプロジェクションディスプレイ。
【請求項１３】
請求項１２記載のマルチプロジェクションディスプレイにおいて、
前記１つの画像を撮像可能な撮像手段を有し、
前記画像補正手段は、前記撮像手段によって撮像された撮像画像に基づいて前記輝度調整処理を行うことを特徴とするマルチプロジェクションディスプレイ。
【請求項１４】
第１の単位画像を投写する第１のプロジェクタと、第２の単位画像を投射する第２のプロジェクタとを有し、前記第１のプロジェクタにて前記第１の単位画像を投写し且つ前記第２のプロジェクタにて前記第２の単位画像を投写し、前記第１の単位画像と前記第２の単位画像とが重なり合う重なり部を有する状態で１つの画像を表示するマルチプロジェクションディスプレイに用いられる前記第１または第２のプロジェクタであって、
複数の電気光学変調装置と、
前記複数の電気光学変調装置の出射側に設けられたダイクロイックプリズムと、
前記ダイクロイックプリズムの出射側に設けられた投写レンズと、
前記ダイクロイックプリズムの出射側で且つ前記投写レンズの入射側に配置され、前記重なり部への光量を調節可能な光量調整手段と、を有することを特徴とするプロジェクタ。
【請求項１５】
第１の単位画像を投写する第１のプロジェクタと、第２の単位画像を投射する第２のプロジェクタとを有し、前記第１のプロジェクタにて前記第１の単位画像を投写し且つ前記第２のプロジェクタにて前記第２の単位画像を投写し、前記第１の単位画像と前記第２の単位画像とが重なり合う重なり部を有する状態で１つの画像を表示するマルチプロジェクションディスプレイに用いられる前記第１又は第２のプロジェクタであって、
光源と、
電気光学変調装置と、
前記光源からの光を前記電気光学変調装置に入射させることに用いる反射板と、  前記反射板の反射率を調整可能な反射率変更部と、を有し、
前記反射率変更部は、前記重なり部への光量を調節可能な光量調整手段を有することを特徴とするプロジェクタ。
【請求項１６】
第１の単位画像を投写する第１のプロジェクタと、第２の単位画像を投射する第２のプロジェクタとを有し、前記第１のプロジェクタにて前記第１の単位画像を投写し且つ前記第２のプロジェクタにて前記第２の単位画像を投写し、前記第１の単位画像と前記第２の単位画像とが重なり合う重なり部を有する状態で１つの画像を表示するマルチプロジェクションディスプレイに用いられる前記第１又は第２のプロジェクタであって、
光の一部を透過し且つ光の一部を反射するダイクロイックミラーと、
前記ダイクロイックミラーの透過率を調整可能な透過率変更部と、を有し、
前記透過率変更部は、前記重なり部への光量を調節可能な光量調整手段を有することを特徴とするマルチプロジェクションディスプレイ。
【手続補正２】
【補正対象書類名】明細書
【補正対象項目名】００１２
【補正方法】変更
【補正の内容】
【００１２】
そこで本発明は、プロジェクタ筐体内部に遮光板等の光量調整手段を設置することによって、上述した問題点を解消し、かつ、重なり部の輝度とその他の部分の輝度との輝度変化を極力小さくすることを可能とし、高品質なタイリング投写が可能となるマルチプロジェクションディスプレイおよびそのマルチプロジェクションディスプレイに用いられるプロジェクタを提供することを目的としている。